(57)【要約】【課題】釣糸繰り出し状態のスプールの回転に制動力を付与してスプールの回転状態を調整できるようにするだけでなく、ハンドルを保持した手の指による容易な回転操作とその同じ手による瞬時なハンドル回転巻き取り移行操作という異なる両操作を実釣時において無理なく連続的に行なえるようにする制動力調節用の回転操作部材及びそのような回転操作部材を備える魚釣用リールを提供する。【解決手段】本発明の魚釣用リールは、リール本体の一方の側板３ｂに回転自在に支持された制動力調節用の回転操作部材６０の回転操作によってスプールと一体回転するスプール軸の釣糸繰り出し方向の回転に制動力を付与するスプール制動機構を備える。回転操作部材６０は、その外周部から０．５ｍｍ〜５ｍｍの長さで突出して互いに周方向に離間される複数の指掛用突部９０を有する。【選択図】  図４
2019205393.tif 000002
【特許請求の範囲】
【請求項１】
リール本体の側板間に回転可能に支持されて釣糸が巻回されるスプールと、前記リール本体の一方の前記側板に回転自在に支持された制動力調節用の回転操作部材の回転操作によって前記スプールと一体回転するスプール軸の釣糸繰り出し方向の回転に制動力を付与するスプール制動機構とを備える魚釣用リールにおいて、
前記回転操作部材は、その外周部から０．５ｍｍ〜５ｍｍの長さで突出して互いに周方向に離間される複数の指掛用突部を有することを特徴とする魚釣用リール。
【請求項２】
前記指掛用突部の突出端を含む前記回転操作部材の最外径寸法がＤ、前記回転操作部材の外周部に設けられる前記指掛用突部の数がＴであるとき、Ｄ＝２０ｍｍ〜３５ｍｍ、Ｔ／Ｄ＝０．２〜０．６に設定されることを特徴とする請求項１に記載の魚釣用リール。
【請求項３】
魚釣用リールのリール本体に回転可能に支持されるスプールの釣糸繰り出し方向の回転に制動力を付与するために前記リール本体を構成する側板に回転自在に支持される制動力調節用の回転操作部材であって、その外周部から０．５ｍｍ〜５ｍｍの長さで突出して互いに周方向に離間される複数の指掛用突部を有することを特徴とする回転操作部材。
【請求項４】
前記指掛用突部の突出端を含む前記回転操作部材の最外径寸法がＤ、前記回転操作部材の外周部に設けられる前記指掛用突部の数がＴであるとき、Ｄ＝２０ｍｍ〜３５ｍｍ、Ｔ／Ｄ＝０．２〜０．６に設定されることを特徴とする請求項３に記載の回転操作部材。
【発明の詳細な説明】
【技術分野】
【０００１】
本発明は、魚釣用リールに関し、特に、スプール軸の回転に制動力（抵抗力）を付与するスプール制動機構を備える魚釣用リール及びその制動力調節用の回転操作部材に関する。
【背景技術】
【０００２】
この種の魚釣用リール、特に両軸受型リールは、リール本体の側板間に回転自在に支持されるスプールを釣糸巻き取り状態（クラッチＯＮ）と釣糸繰り出し状態（クラッチＯＦＦ）とに切り換えるクラッチ機構と、釣糸繰り出し状態のスプールの回転に制動力（抵抗力）を付与してスプールの回転状態を調整できるようにするスプール制動機構とを備える。
【０００３】
前記スプール制動機構は、一般に、リール本体の一方の側板に回転可能に支持して設けられる調節ツマミを回動操作することにより、スプールと一体に回転するスプール軸の端部に作用する押圧力を加減してスプール軸に所望の摩擦抵抗を付与し、スプールの回転に制動力を付与できる（スプールの回転状態を調節できる）ように構成される。
【０００４】
また、そのようなスプール制動機構の前記調節ツマミは、一般に、指で摘まんで回動操作するようにキャップ状に形成されている。例えば特許文献１に開示される調節ツマミは、一般に粗面化処理（例えばローレット加工）が施される調節ツマミの外周面に魚のヌメリや砂、異物等が付着して目詰まりにより滑り易くなることを防止するために、大径筒部と、この大径筒部に連続して先端に向けて小径となる傾斜側部とを有し、傾斜側部に大径筒部外周の凹凸部よりも程度が大きい凹凸部を設けることにより、大径筒部及び傾斜側部の両部分に親指を押し当てることができるようにして滑り難くしている。
【先行技術文献】
【特許文献】
【０００５】
【特許文献１】特許第４５６２１９２号
【発明の概要】
【発明が解決しようとする課題】
【０００６】
ところで、実釣時においては、スプールがフリー回転可能なクラッチＯＦＦ状態（釣糸繰り出し状態）でスプールの回転状態を前記調節ツマミにより調整しながら仕掛けを魚層へと繰り出していく操作を行なう場合がある。その場合、突如魚がヒットした際には、ハンドルを回転操作してクラッチをＯＮにし、釣糸巻き取り操作へ移行することになるが、従来のように前記調節ツマミが指で摘まんで回動操作するようなキャップ状のものであると、このようなハンドル操作移行時にリールを持ち替えなければならず、釣糸巻き取り操作へと迅速に移行することが難しいとともに、そのような一連の操作過程においてリール本体の保持も不安定になり易い。
【０００７】
これに対し、特許文献１に開示された調節ツマミは、該ツマミを指で摘まんで操作する際に両指先が傾斜側部の凹凸部に掛かって滑り難く回動操作を容易に行なえるが、指で摘まんで操作することに変わりはなく、多かれ少なかれ前述した不都合を伴うとともに、一方の手で反ハンドル側のリール本体を保持し、他方の手でハンドルを保持しながらその親指でツマミを押し当てつつ回転操作する際に、大径筒部と傾斜側部とに跨るこれらの部分の境界付近の外周上部に親指の腹部が位置して下方へ押し付ける状態となるため、凹凸部への指掛かりが弱くなり回動操作性が悪い。
【０００８】
また、近年、釣り方が多様化し、仕掛けを魚層に向けて繰り出す操作過程で調節ツマミを積極的に回動操作して仕掛けの落下速度を細かく頻繁に調整することも行なわれており、更に、それに伴い、リール本体のハンドル側を握る片手の指で該指を調節ツマミに押し当てて確実に保持しつつ調節ツマミを自在に且つ容易に操作したいという要望も高まっているが、指で摘まんで操作する従来の調節ツマミではそのような要望に対応できす、したがって、釣糸繰り出し状態のスプール回転の制動力調節においては、このような多様化する釣り手法に対応できる新たな操作手段が求められている。
【０００９】
本発明は、上記した問題に着目してなされたものであり、釣糸繰り出し状態のスプールの回転に制動力を付与してスプールの回転状態を調整できるようにするだけでなく、ハンドルを保持した手の指による容易な回転操作とその同じ手による瞬時なハンドル回転巻き取り移行操作という異なる両操作を実釣時において無理なく連続的に行なえるようにする制動力調節用の回転操作部材及びそのような回転操作部材を備える魚釣用リールを提供することを目的とする。
【課題を解決するための手段】
【００１０】
上記した目的を達成するために、本発明は、リール本体の側板間に回転可能に支持されて釣糸が巻回されるスプールと、前記リール本体の一方の前記側板に回転自在に支持された制動力調節用の回転操作部材の回転操作によって前記スプールと一体回転するスプール軸の釣糸繰り出し方向の回転に制動力を付与するスプール制動機構とを備える魚釣用リールにおいて、前記回転操作部材は、その外周部から０．５ｍｍ〜５ｍｍの長さで突出して互いに周方向に離間される複数の指掛用突部を有することを特徴とする。
【００１１】
上記構成の魚釣用リールによれば、スプールの釣糸繰り出し方向の回転に制動力を付与する制動力調節用の回転操作部材に、その外周部から０．５ｍｍ〜５ｍｍの長さで突出して互いに周方向に離間される複数の指掛用突部（すなわち、指が引掛かることができる形態の凸状部）を設けたため、回転操作部材が（例えば釣糸巻き取り操作において邪魔になり釣糸が絡みやすいレバー部材のような形態ではなく）ダイヤル式に指で容易に回転操作できるジョグ操作部材の形態を成すことができ、そのため、指で摘まんで操作する従来の調節ツマミと同様に釣糸繰り出し状態のスプールの回転に抵抗力を与えてスプールの回転状態を調整できるだけでなく、一方の手で反ハンドル側のリール本体を安定して保持しつつ、ハンドルを保持した他方の手の指による回転操作部材の容易な回転操作とその同じ手による瞬時なハンドル回転巻き取り移行操作という異なる両操作を実釣時において無理なく連続的に行なえるようになる。したがって、仕掛けを魚層に向けて繰り出す操作過程で回転操作部材を積極的に回動操作して仕掛けの落下速度を細かく頻繁に調整する際にも、リール本体のハンドル側を握る片手の指で該指を回転操作部材に押し当てて確実に保持しつつ回転操作部材を自在に且つ容易に操作でき、多様化する釣り手法にも問題なく対応することができる。
【００１２】
この場合、ハンドルを保持する手の親指を回転操作部材の回動方向に対して斜め方向から回転操作部材の外周部に侵入させることで回転操作部材を前後に回動操作し易くなり、それにより、従来の調節ツマミと比べて操作性及び握持保持性が向上する。特に、指掛用突部の突出端を含む回転操作部材の最外径寸法をＤ、回転操作部材の外周部に設けられる指掛用突部の数をＴとすると、Ｄ＝２０ｍｍ〜３５ｍｍ（好ましくは２５ｍｍ〜３５ｍｍ）、Ｔ／Ｄ＝０．２〜０．６に設定することにより、回転操作部材の回動方向に対して斜め方向から親指を回転操作部材の外周部に侵入させ易くなるとともに、指掛用突部に対する親指の掛かり具合が良好となり、したがって、リール本体の握持保持性を良好に確保しつつ、回転操作部材に対する指の位置を視認することなく、回転操作部材の回転操作を確実に且つ円滑に行なうことができるようになる。
【００１３】
なお、上記構成において、指掛用突部は、回転操作部材の径方向外側に突出してもよく、或いは、回転操作部材の側方（例えば、回転操作部材の径方向と略直交する方向）に突出してもよい。その場合、指掛用突部の突出長さは、前述したように０．５ｍｍ〜５ｍｍであるが、１．５ｍｍ〜３ｍｍであることが特に好ましく、また、指掛用突部の数は５〜８個であることが好ましい。
【００１４】
また、本発明は、上記構成の魚釣用リールに設けられる前記回転操作部材も提供する。
【発明の効果】
【００１５】
本発明によれば、釣糸繰り出し状態のスプールの回転に制動力を付与してスプールの回転状態を調整できるようにするだけでなく、ハンドルを保持した手の指による容易な回転操作とその同じ手による瞬時なハンドル回転巻き取り移行操作という異なる両操作を実釣時において無理なく連続的に行なえるようにする制動力調節用の回転操作部材及びそのような回転操作部材を備える魚釣用リールが得られる。
【図面の簡単な説明】
【００１６】
【図１】本発明の一実施形態に係る魚釣用リールとしての両軸受型リールの全体の概略正面図である。
【図２】図１の魚釣用リールのクラッチＯＮ時の要部断面図である。
【図３】図１の魚釣用リールのクラッチＯＦＦ時の要部断面図である。
【図４】図１の魚釣用リールのリール本体のハンドル側の側面図である。
【図５】指による操作態様の一例を示す回転操作部材単体の平面図である。
【図６】指による操作態様の一例を示す回転操作部材周辺の要部拡大側面図である。
【図７】回転操作部材の操作態様の一例を示す魚釣用リールの斜視図である。
【図８】図８の状態から回転操作部材を前方に回転させた状態を示す、回転操作部材の操作態様の一例を示す魚釣用リールの斜視図である。
【図９】回転操作部材の操作性評価表である。
【発明を実施するための形態】
【００１７】
以下、添付図面を参照しながら、本発明の一実施形態に係る魚釣用リールについて説明する。
なお、以下の説明及び図面の全体にわたって、「前、後」「左、右」「上、下」の方向は、図１で規定される方向を基準とする。
【００１８】
図１〜図３に示されるように、魚釣用両軸受型リールのリール本体１は、左右フレーム２ａ，２ｂと、これら左右フレーム２ａ，２ｂに所定の空間を隔ててそれぞれシール材を介して装着される左右側板３ａ，３ｂとを備える。左右フレーム２ａ，２ｂは複数の支柱を介して一体化されており、下方の支柱に設けられるリール脚によってリール本体１が釣竿の図示しないリールシートに装着される。
【００１９】
左右フレーム２ａ，２ｂ（左右側板３ａ，３ｂ）間には、スプール軸５が左右の軸受４Ａ，４Ｂ（左側に位置される軸受４Ａは図示せず）を介して回転可能に支持されており、このスプール軸５には、釣糸が巻回されるスプール６が取り付けられる。
【００２０】
スプール６は、ハンドル１０を回転操作することによって回転されるように構成されており、ハンドル１０は、右側板３ｂから突出したハンドル軸７の端部に取り付けられる。
【００２１】
ハンドル軸７は、右フレーム２ｂと右側板３ｂとの間に、図示しない軸受を介して回転自在に支持されるとともに、右側板３ｂとの間に介在される図示しない一方向クラッチによって釣糸巻き取り方向にのみ回転可能に構成されている。
【００２２】
右フレーム２ｂと右側板３ｂとの間には、ハンドル軸７に回転自在に支持されてハンドル１０の回転運動をスプール軸５側に伝達するためのドライブギア１１が設けられており、また、ハンドル１０の回転操作により回転するこのドライブギア１１に係合して、スプール６に所定のドラグ力を付与する公知のドラグ機構１２が収容されている。ドラグ機構１２は、魚釣時にスプール６から釣糸が繰り出された際に、スプール６に所定のドラグ力を付与するようになっており、ドライブギア１１に当接する複数の摩擦板１２ａを備える。このようなドラグ機構１２は、ハンドル軸７の端部に配設された操作体としてのスタードラグ１３を回動操作することで、ドライブギア１１に対する圧接力が調節されるようになっており、スプール６に対するドラグ力（釣糸巻き取り時の抵抗力）を調節できるように構成される。
【００２３】
ドライブギア１１には、クラッチ機構２０の一部を構成する動力伝達部材としてのピニオンギア２１（ピニオンギア２１の歯２１ｃ）が噛合している。このピニオンギア２１は、ドライブギア１１の回転をスプール６（スプール軸５）に伝達する部材であり、軸方向に貫通する中心孔２１ａが形成されており、この中心孔２１ａにスプール軸５（又はスプール軸５の端面に当接する支持軸であってもよい）が貫通されている。
【００２４】
本実施形態において、スプール軸５の右側は、大径部５Ａと、この大径部５Ａに連続する小径部５Ｂと、小径部５Ｂから延びる軸部５Ｃ（又は小径部５Ｂの端面に当接する別体の支持軸であってもよい）とから成り、軸部５Ｃが前述したようにピニオンギア２１の中心孔２１ａに挿通される。また、スプール軸５は、その（軸部５Ｃの）右端面５ａがリール本体１（右側板３ｂ）の支持部３ｂａに螺合される制動力調節用の回転操作部材６０（本実施形態では、親指等の１本の指で容易に例えば斜め方向から押圧してダイヤル式に回転操作できるジョグ操作部材の形態を成す）の内方に設けられる軸方向規制部６２に当て付くことにより軸方向における移動が規制される。そして、後述するように、スプール軸５には、回転操作部材６０が回転操作されることにより所定の押圧力が制動力として付与されるようになっている。
【００２５】
ピニオンギア２１の一部には、周方向に沿って円周溝２１ｂが形成されており、この円周溝２１ｂにクラッチ機構２０を構成するクラッチ部材２３が係合している。クラッチ部材２３は、クラッチ操作部材２４を操作（クラッチＯＮ状態からクラッチＯＦＦ状態へ操作）することにより、付勢部材９０の付勢力に抗して図中右側に向けて駆動されるようになっており、これにより、ピニオンギア２１をスプール軸５に沿って右側に移動させるようになっている。
【００２６】
この場合、ピニオンギア２１は、その両側（ドライブギア１１に噛合する歯部２１ｃのスプール６側及び側板３ｂ側の両側部位）がリール本体１（右フレーム２ｂ，右側板３ｂ、図１参照）に設けられる軸受２４Ａ，２４ＢによりカラーＣ（樹脂材）を介して支持されており、軸受２４Ａ，２４Ｂの内輪内周面に対して軸方向に移動可能に且つ回転自在に接触している。すなわち、ピニオンギア２１は、スプール６に接続する側が第１の軸受２４Ａによって支持されるとともに、スプール６に接続する側と反対の側が第２の軸受２４Ｂによって支持される。なお、カラーＣを削除して軸受２４Ａ，２４Ｂで直接にピニオンギア２１の両側を支持してもよい。
【００２７】
ピニオンギア２１の左端部には、スプール軸５の右端部（小径部５Ｂ）に設けられる係合突部５ｂ，５ｂに係脱可能な凹部２５ａが設けられている。図２に示されるように、凹部２５ａにスプール軸５の係合突部５ｂ，５ｂが係合している状態がクラッチＯＮ状態であり、図３に示されるように、クラッチ機構２０（クラッチ部材２３）によりピニオンギア２１が図中右側に向けて移動されて凹部２５ａから係合突部５ｂ，５ｂが脱した状態（両者の係合状態が解除された状態）がクラッチＯＦＦ状態である。
【００２８】
なお、ピニオンギア２１は、クラッチ操作部材２４を復帰操作することによって或いはハンドル１０の巻き取り操作によって自動的にクラッチＯＦＦ状態からクラッチＯＮ状態へ復帰させることが可能となっている。
【００２９】
以上のように構成される魚釣用リールでは、図２に示されるクラッチＯＮ状態でハンドル１０が回転操作されると、ドライブギア１１に伝達された回転駆動力は、ピニオンギア２１に伝達され、ピニオンギア２１の凹部２５ａに係合している係合突部５ｂ，５ｂを介してスプール軸５に伝達される。これによって、スプール６が回転駆動される。
【００３０】
また、このような図２に示されるクラッチＯＮ状態（釣糸巻き取り状態）からクラッチ操作部材２４が移動操作（クラッチＯＮ状態からクラッチＯＦＦ状態へ操作）されると、クラッチ部材２３が付勢部材９０の付勢力に抗して図中右側に向けて駆動されて、ピニオンギア２１が図中右側に向けて移動され、それにより、図３に示されるようにスプール軸５の係合突部５ｂ，５ｂに対するピニオンギア２１の凹部２５ａの係合が解除される。したがって、スプール６は、ドライブギアからの回転動力の伝達が遮断されるフリー回転可能状態（釣糸繰り出し状態）となる。
【００３１】
その後、再びハンドル１０が回転操作される又はクラッチ操作部材２４が操作されると、クラッチＯＦＦ状態からクラッチＯＮ状態にクラッチ機構２０が復帰され、ピニオンギア２１がスプール軸５側（左側）に移動される。それにより、スプール軸５の係合突部５ｂ，５ｂにピニオンギア２１の端面が回転しながら当接し、スプール軸５の係合突部５ｂ，５ｂがピニオンギア２１の凹部２５ａに嵌入してこれらが係合する状態（釣糸巻き取り状態）となる（図２参照）。その結果、ハンドル１０の回転駆動力がピニオンギア２１からスプール軸５へ伝達される。
【００３２】
また、本実施形態の魚釣用リールは、リール本体１の支持部３ｂａに設けられる前述の回転操作部材６０の回転操作によってスプール６と一体回転するスプール軸５の回転に制動力を付与するスプール制動機構７０を更に備える。この場合、スプール制動機構７０は、スタードラグ１３と干渉しない軸方向長さに抑えられる略有底円筒状の回転操作部材６０の内側収容空間内に設けられる被摩擦制動部７０Ｂと、クラッチ機構２０（クラッチ操作部材２４）の切り換え操作によるピニオンギア２１の前述の軸方向移動によって被摩擦制動部７０Ｂに対して接離してスプール軸５に対する制動力をＯＮ／ＯＦＦ制御する摩擦制動部７０Ａとを有する。
【００３３】
摩擦制動部７０Ａは、例えば、必要に応じて表面処理が施されるステンレス鋼、銅合金、アルミニウム合金等の金属材によって形成されており、スプール軸５の端部（スプール６に接続する側とは反対側の端部）に軸方向移動可能に回り止め嵌合されている。すなわち、摩擦制動部７０Ａは、スプール軸５に対して回転することなくスプール軸５と一体に回転する一方で、スプール軸５に対して軸方向に移動できるようになっている。
【００３４】
また、摩擦制動部７０Ａは、第２の軸受２４Ｂの側部（ピニオンギア２１の歯部２１ｃと反対側の右側）と回転操作部材６０との間に、特に本実施形態ではリール本体１の支持部３ｂａと回転操作部材６０の内側底部に固定される被摩擦制動部７０Ｂとの間に配設されており、支持部３ｂａと回転操作部材６０とによって画定される閉空間内で被摩擦制動部７０Ｂと圧接可能に対向配置される。この場合、摩擦制動部７０Ａと回転操作部材６０との間にはバネ部材（圧縮コイルスプリング）８０が介挿されており、摩擦制動部７０Ａはその径方向内側の環状凹部でバネ部材８０の一端を支持している。
【００３５】
一方、摩擦制動部７０Ａとともにスプール制動機構７０を構成する被摩擦制動部７０Ｂは、例えば、カーボンやパルプ等を主成分とする織布、不織布に合成樹脂を含浸させて硬化させたシート状部材によって形成されて保持体６５によって保持される。この保持体６５は、回転操作部材６０の中心に位置して回転操作部材６０の内側底部からスプール軸５側へ向けて延びる中央突出部６０ａの周囲の環状空間６０ｂ内に嵌着され、また、保持体６５の径方向外側部位の背面と回転操作部材６０の内側底部との間には、ピニオンギア２１を介して摩擦制動部７０Ａを被摩擦制動部７０Ｂに圧接させるためのクラッチ操作部材２４の操作が重くならないようにその操作力を部分的に逃がす（操作力を部分的に吸収する）力吸収部材として例えばＯリング６４が介挿されている。なお、保持体６５は、その径方向内側の環状凹部でバネ部材８０の他端を支持するようになっている。
【００３６】
したがって、このような構成のスプール制動機構７０においては、まず、図２に示されるクラッチＯＮ状態にある場合、摩擦制動部７０Ａがバネ部材８０の付勢力によって被摩擦制動部７０Ｂから離間された位置に保持される。そのため、スプール制動機構７０による制動力がスプール６に作用せず、軽いハンドル操作で釣糸の巻き取りを行なうことができる。これに対し、クラッチ操作部材２４がクラッチＯＮ状態からクラッチＯＦＦ状態へと操作されてピニオンギア２１が図中右側に向けて移動されると、図３に示されるようにピニオンギア２１によって摩擦制動部７０Ａがバネ部材８０の付勢力に抗して右方向へ移動されて、摩擦制動部７０Ａが被摩擦制動部７０Ｂに当接（圧接）する。そのため、回転操作部材６０の締め付け量（回転操作量）に応じた摩擦制動力を（スプール軸５を介して）スプール６のフリー回転に対して作用させることができる。すなわち、このようなスプール制動機構７０によれば、釣糸繰り出し状態でスプール６側に制動力を付与できるとともにその制動力を釣糸巻き取り状態で解除できる。
【００３７】
また、スプール軸５の右端面５ａと当て付いてスプール軸５の軸方向移動を規制する前述した軸方向規制部６２は、回転操作部材６０の内方でスプール軸５の右端面５ａと対向するように回転操作部材６０の中央突出部６０ａの端部に取り付け固定されている。すなわち、軸方向規制部６２は、被摩擦制動部７０Ｂに対してその径方向内側に設けられるような配置関係を成している（回転操作部材６０の内側底部で軸方向規制部６２と被摩擦制動部７０Ｂとが径方向に配設される）。
【００３８】
また、本実施形態において、軸方向規制部６２は、例えば金属材によって形成されて例えば金属製のスプール軸５と常時当接し得るようになっているが、スプール軸５に対する押圧量が所定範囲を超えないように設けられる。すなわち、軸方向規制部６２は、その機能がスプール軸５に制動力を付与することではなくスプール軸５の軸方向移動を規制してそのガタつきを適正に維持又は防止することにあるため、スプール制動機構７０による制動力調整と直接的に干渉しないようにスプール制動機構７０による制動力最大調整時（回転操作部材６０の回転操作量が最大のとき）でもスプール軸５の端部を不必要に押圧しないように規制設定されている。具体的には、例えば回転操作部材６０の所定量の回転操作量で回転操作部材６０に保持される軸方向規制部６２がそれ以上スプール軸５側へ移動しないように軸方向規制部６２と当接する度当て部が適切な位置に設けられ、それにより、スプール軸５の適切な軸方向規制が制動操作に関係なく維持できるようになっている。
【００３９】
また、本実施形態では、回転操作部材６０の回転に節度のある抵抗力を付与する回転節度発生部１００が回転操作部材６０の内方に設けられている。具体的には、例えば、回転操作部材６０によって覆われるリール本体１の支持部３ｂａ側の部位に設けられるバネ性を有する係合凸部３ｂａａが回転操作部材６０の内周に形成された凹凸部１００ａに対して弾発的に係合することにより（発条の弾発力に抗した係止部と係止部の乗り越えとによる節度回転により）規則正しい適度な摩擦抵抗力を有するクリック音を発生するようになっており、回転操作部材６０は、スプール制動機構７０によって不用意に回転しないように抑制されている。このような回転節度発生部１００の配置により、回転操作部材６０の内側には、その中心部から径方向外方に向けて、軸方向規制部６２、被摩擦制動部７０Ｂ、及び、回転節度発生部１００が順に限られたスペース内にコンパクトに配設される状態となる。
【００４０】
また、このようなスプール制動機構７０による制動力を調節するために用いられる前述の回転操作部材６０は、図４に明確に示されるように、略円形の断面を有しており、前述したように親指等の１本の指で容易に例えば斜め方向から押圧してダイヤル式に回転操作できるジョグ操作部材の形態を成す（図７及び図８も参照）。この場合、回転操作部材６０は、ハンドル１０と側板３ｂとの間（図では、スタードラグ１３と側板３ｂとの間）に位置され（図１も参照）、その外周部から０．５ｍｍ〜５ｍｍ（好ましくは、１．５ｍｍ〜３ｍｍ）の長さで突出して互いに周方向に離間される複数（本実施形態では８個）の指掛用突部９０を有する。本実施形態の指掛用突部９０は互いに周方向に等間隔で離間されるが、等間隔である必要はない。また、指掛用突部９０の数も任意に設定できる。
【００４１】
また、本実施形態において、指掛用突部９０は、回転操作部材６０の外周面から径方向外側に突出するように回転操作部材６０と一体に形成されるが、一体に形成されている必要はなく、また、回転操作部材の側方（例えば、回転操作部材の径方向と略直交する方向）に突出していても構わない。
【００４２】
また、本実施形態において、各指掛用突部９０は、その低部９０ａを形成する回転操作部材６０の外周面から、傾斜面によって径方向外側に向けて立ち上がって、その突出端を形成する高部９０ｂで終端している。しかしながら、各指掛用突部９０は、そのような形態を成している必要はない。また、全ての指掛用突部９０の突出長が同一であることが好ましいが、そうである必要もない。
【００４３】
いずれにしても、図７に示されるように一方の手Ｈ１で反ハンドル側のリール本体（側板３ａ）を保持しつつハンドル１０を（例えば掌で）保持した他方の手Ｈ２の親指１００を回転操作部材６０の回動方向Ａに対して斜め方向Ｂから回転操作部材６０の外周部に侵入させた状態で（図４〜図６参照）、リール本体のハンドル１０側を握る片手Ｈ２の親指１００で該指を回転操作部材６０に（例えば上側から）押し当てて確実に保持しつつ回転操作部材６０を（図７の状態から回転操作部材６０を前方に回転させた図８の状態へと或いはその逆へと）自在に且つ容易に回動操作できるように、回転操作部材６０の配設位置、回転操作部材６０の直径寸法及び厚さ（直径方向と直交する方向に沿う寸法）、指掛用突部９０の突出長さ及び厚さが設定される。
【００４４】
また、本実施形態では、指掛用突部９０の突出端を含む回転操作部材６０の最外径寸法がＤ（図４参照）、回転操作部材６０の外周部に設けられる指掛用突部９０の数がＴであるとき、Ｄ＝２０ｍｍ〜３５ｍｍ（好ましくは、２５ｍｍ〜３５ｍｍ）、Ｔ／Ｄ＝０．２〜０．６に設定されている。
【００４５】
このように、Ｔ／Ｄの値が０．２〜０．６の範囲内に設定されると、回転操作部材６０の回動方向Ａに対して斜め方向Ｂから親指１００を回転操作部材６０の外周部に侵入させ易くなるとともに、指掛用突部９０に対する親指１００の掛かり具合が良好となり（親指１００の腹を指掛用突部９０，９０間に位置させ易い；図５及び図６参照）、したがって、リール本体の握持保持性を良好に確保しつつ、回転操作部材６０に対する親指１００の位置を視認することなく、回転操作部材６０の回転操作を確実に且つ円滑に行なうことができるようになる。
【００４６】
このことを実証する評価試験結果が図９に示される。この評価試験では、２０ｍｍ、２３ｍｍ、２５ｍｍの最外径寸法Ｄを有する３種類の大きさの回転操作部材（表中では、制動力操作部材）６０をそれぞれ用意するとともに、それぞれの大きさの回転操作部材６０ごとに、設けられる指掛用突部（表中では、指掛け突起）９０の数Ｔを４，５，６，８，９，１０，１２個と変えた７つのタイプを更に用意し、合計２１種類のそれぞれの回転操作部材６０に関して、本発明者を含むテスター数人が図７及び図８に示されるような握持保持形態でリールを握った状態で回転操作部材６０を操作して、「操作のフィット感」、「親指の掛かり」、「親指の痛み・疲労」のそれぞれの項目を評価した（４段階評価、◎：非常に良い、〇：良い、△：普通、×：悪い）。
【００４７】
この場合、「操作のフィット感」の評価項目では、手の親指による前後方向移動操作（回動方向Ａに沿う行き帰り動作）時の回転操作部材６０に対する親指のフィット感（遊びの有無も含めて）の優劣が４段階で評価された。また、「親指の掛かり」の評価項目では、親指の腹部を回転操作部材６０に押し付けた状態で回転操作部材６０を回動操作する際の指掛用突部９０に対する親指の掛かり具合の優劣が４段階で評価された。更に、「親指の痛み・疲労」の評価項目では、親指の腹部を回転操作部材６０に押し付けた状態で回転操作部材６０を回動操作した際の指の痛み、疲労具合が４段階で評価された。そして、２１種類のそれぞれの回転操作部材６０に関して、３つの評価項目に基づき総合的に評価した総合評価結果を４段階で表わした。
【００４８】
この評価試験結果から分かるように、最外径寸法Ｄが２０ｍｍの回転操作部材６０では、指掛用突部９０の数が４〜１２個の範囲内（Ｔ／Ｄの値が０．２０〜０．６０の範囲内）において良好の操作性が得られ、特に、指掛用突部９０の数が５〜１０個の範囲内（Ｔ／Ｄの値が０．２５〜０．５０の範囲内）において優れた操作性が得られた。また、最外径寸法Ｄが２３ｍｍの回転操作部材６０では、指掛用突部９０の数が５〜１２個の範囲内（Ｔ／Ｄの値が０．２２〜０．５２の範囲内）において良好の操作性が得られ、特に、指掛用突部９０の数が６〜１０個の範囲内（Ｔ／Ｄの値が０．２６〜０．４３の範囲内）において優れた操作性が得られた。更に、最外径寸法Ｄが２５ｍｍの回転操作部材６０では、指掛用突部９０の数が５〜１２個の範囲内（Ｔ／Ｄの値が０．２０〜０．４８の範囲内）において良好の操作性が得られ、特に、指掛用突部９０の数が６〜１０個の範囲内（Ｔ／Ｄの値が０．２４〜０．４０の範囲内）において優れた操作性が得られた。
【００４９】
以上から、良好な操作性が得られるＴ／Ｄ値の範囲は０．２〜０．６、良好な操作性を得る好ましいＴ／Ｄ値の範囲は０．２〜０．５、特に優れた操作性が得られるＴ／Ｄ値の範囲は０．３〜０．４であることが分かる。
【００５０】
以上説明したように、本実施形態の魚釣用リールによれば、スプール６の釣糸繰り出し方向の回転に制動力を付与する制動力調節用の回転操作部材６０に、その外周部から０．５ｍｍ〜５ｍｍの長さで突出して互いに周方向に離間される複数の指掛用突部９０（すなわち、指が引掛かることができる形態の凸状部）を設けたため、回転操作部材６０が（例えば釣糸巻き取り操作において邪魔になり釣糸が絡みやすいレバー部材のような形態ではなく）ダイヤル式に指で容易に回転操作できるジョグ操作部材の形態を成すことができ、そのため、指で摘まんで操作する従来の調節ツマミと同様に釣糸繰り出し状態のスプールの回転に抵抗力を与えてスプール６の回転状態を調整できるだけでなく、図７に示されるように、一方の手Ｈ１で反ハンドル側のリール本体１を安定して保持しつつ、ハンドル１０を保持した他方の手Ｈ２の親指１００による回転操作部材６０の容易な回転操作とその同じ手による瞬時なハンドル回転巻き取り移行操作という異なる両操作を実釣時において無理なく連続的に行なえるようになる。したがって、仕掛けを魚層に向けて繰り出す操作過程で回転操作部材６０を積極的に回動操作して仕掛けの落下速度を細かく頻繁に調整する際にも、リール本体１のハンドル１０側を握る片手Ｈ２の親指１００で該指１００を回転操作部材６０に押し当てて確実に保持しつつ回転操作部材６０を自在に且つ容易に操作でき、多様化する釣り手法にも問題なく対応することができる。
【００５１】
この場合、図５〜図８に示されるようにハンドル１０を保持する手Ｈ２の親指１００を回転操作部材６０の回動方向Ａに対して斜め方向Ｂから回転操作部材６０の外周部に侵入させることで回転操作部材６０を前後に回動操作し易くなり、それにより、従来の調節ツマミと比べて操作性及び握持保持性が向上する。特に、本実施の形態では、指掛用突部９０の突出端を含む回転操作部材６０の最外径寸法をＤ、回転操作部材６０の外周部に設けられる指掛用突部９０の数をＴとすると、Ｄ＝２０ｍｍ〜３５ｍｍ（好ましくは２５ｍｍ〜３５ｍｍ）、Ｔ／Ｄ＝０．２〜０．６に設定されているため、回転操作部材６０の回動方向Ａに対して斜め方向Ｂから親指１００を回転操作部材６０の外周部に侵入させ易くなるとともに、指掛用突部９０に対する親指１００の掛かり具合が良好となり、したがって、リール本体１の握持保持性を良好に確保しつつ、回転操作部材６０に対する親指１００の位置を視認することなく、回転操作部材６０の回転操作を確実に且つ円滑に行なうことができるようになる。
【符号の説明】
【００５２】
１  リール本体
３ａ，３ｂ  側板
５  スプール軸
６  スプール
１０  ハンドル
６０  回転操作部材
７０  スプール制動機構
９０  指掛用突部
【図１】
2019205393.tif 000003
【図２】
2019205393.tif 000004
【図３】
2019205393.tif 000005
【図４】
2019205393.tif 000006
【図５】
2019205393.tif 000007
【図６】
2019205393.tif 000008
【図７】
2019205393.tif 000009
【図８】
2019205393.tif 000010
【図９】
2019205393.tif 000011